(57)【要約】【課題】簡単な操作であり、ホットスティックを着脱自在に保持して吊り下げできる吊り具を提供する。【解決手段】吊り具１は、工具部９１、操作部９２、及び柄部９３を備えるホットスティック９を着脱自在に保持して吊り下げる。吊り具１は、吊り下げ可能な掛止体１ａを先端部に有する主軸部材１１と、主軸部材１１に直交する横軸部材１２と、を備える。又、横軸部材１２の両翼に結合するＵ字状の第１アーム１３とＬ字状の第２アーム１４を備える。吊り具１は、第１アーム１３が操作部９２に向かい、第２アーム１４が工具部９１に向かうように、ホットスティック９の重心から離れた操作部９２の近傍の柄部９３を第１アーム１３及び第２アーム１４で保持して、ホットスティック９を吊り下げる。【選択図】図１
2008182846.tif 000002
【特許請求の範囲】
【請求項１】
架空線を配電工事する工具を取り付け可能な工具部、この工具部の工具を遠隔操作する操作部、及び前記工具部と前記操作部とを連結する長尺の管体からなる柄部を備えるホットスティックを着脱自在に保持して吊り下げる吊り具であって、
吊り下げ可能な円環状の掛止体を先端部に有する棒状の主軸部材と、
この主軸部材の基端部から当該主軸部材の軸方向に対して直交する方向に延びる棒状の横軸部材と、
前記横軸部材の先端部が屈曲されて前記主軸部材と対向して略平行に延び、更に当該横軸部材と略直角に開角されて反転するように湾曲して前記主軸部材が先端部から基端部に向かう方向と同じ方向に延びるＵ字状の第１アームと、
前記横軸部材と略直角に開角して前記主軸部材の基端部から当該主軸部材の軸方向に対して直交する方向に延び、更に屈曲されて前記主軸部材と対向して略平行に前記第１アームと逆向きに延びるＬ字状の第２アームと、を備え、
前記第１アームと前記第２アームとは、前記ホットスティックの柄部を受容可能に所定距離、離間し、
前記第１アームは、前記柄部の一方の半円弧面を受け入れ可能に開口し、
前記第２アームは、前記柄部の他方の半円弧面を受け入れ可能に開口し、
前記第１アームが前記操作部に向かい、前記第２アームが前記工具部に向かうように、前記ホットスティックの重心から離れた前記操作部の近傍の前記柄部を前記第１アーム及び前記第２アームで保持して当該ホットスティックを吊り下げる吊り具。
【請求項２】
前記掛止体を除く前記主軸部材、前記横軸部材、前記第１アーム、及び前記第２アームは、衝撃保護材で被覆されている請求項１記載の吊り具。
【請求項３】
前記第１アーム及び前記第２アームは、前記柄部が滑り困難にゴム体で被覆されている請求項１記載の吊り具。
【請求項４】
前記第１アームは、第１キャップを先端部に備え、
前記第２アームは、第２キャップを先端部に備え、
前記第１キャップと前記第２キャップとは、互いに識別可能に彩色している請求項１から３のいずれかに記載の吊り具。
【請求項５】
一方の面と他方の面の一端側が相互に着脱自在な帯状の面ファスナを更に備え、
この面ファスナの他端側は、当該一方の面が外側になるように前記横軸部材を巻回して繋止し、
前記面ファスナの中間部は、当該一方の面が外側になるように前記柄部を巻回し、
前記面ファスナの一端側は、当該面ファスナの他端側に係止される請求項１から４のいずれかに記載の吊り具。
【請求項６】
延伸された金属棒が折り曲げ成形される請求項１から５のいずれかに記載の吊り具。
【請求項７】
前記掛止体は、電柱に設置されるフックに吊り下げられる請求項１から６のいずれかに記載の吊り具。
【発明の詳細な説明】
【技術分野】
【０００１】
本発明は、吊り具に関する。特に、配電線高圧活線作業の間接活線工法に用いられるホットスティック（絶縁操作棒）を着脱自在に保持して吊り下げる吊り具の構造に関する。
【背景技術】
【０００２】
架空線を無停電で配電工事を行う活線作業には、直接活線工法と間接活線工法の二通りがある。直接活線工法は、高圧ゴム手袋などの保護具を着用した作業者が、通電中の架空線を直接触れて配電工事を行う。一方、間接活線工法は、ホットスティックなどを用いて、作業者が通電中の架空線に直接触れることなく配電工事を行うことができる。近年では、作業環境の改善の観点から、直接活線工法から間接活線工法へと転換が進行している。
【０００３】
例えば、ホットスティックは、先端部に配電工事を行う工具を備えており、この工具を手許の操作部で遠隔操作できる。配電工事を行う作業者は、ホットスティックを用いて、架空線を切断、又は接続することができる。
【０００４】
このようなホットスティックを用いた間接活線工法において、高所作業車の作業台からホットスティックを操作する場合に、作業者の労力を軽減して作業効率を向上させることが可能なホットスティックの支持装置が発明されている（例えば、特許文献１参照）。
【０００５】
特許文献１による支持装置は、高所作業車に配設され、ホットスティックを支持する。そして、高所作業車は、メインブームと、作業者が搭乗できる作業台と、を備えている。メインブームは、車体に設けられ、昇降及び起伏が自在である。作業台は、メインブームの先端部に取り付けられている。
【０００６】
又、特許文献１による支持装置は、サブブームとアーム部材とホルダを備えている。サブブームは、メインブームの先端部に取り付けられている。アーム部材は、この基端部がサブブームに取り付けられ、バランス装置を介して延びた先端部を所望の位置に並進移動及び所望の角度に回転移動して停止状態を維持することが可能となっている。ホルダは、アーム部材の先端部に取り付けられ、ホットスティックを保持している。
【０００７】
特許文献１によるホットスティックの支持装置を用いれば、高所作業車の作業台からホットスティックで作業する場合において、ホットスティックが作業者に代わって支持されるので、作業者の労力は軽減されて作業効率が向上できる、としている。
【特許文献１】特開２０００−１８８８０８公報
【発明の開示】
【発明が解決しようとする課題】
【０００８】
特許文献１による発明は、高所作業車が駐車可能な平地での間接活線工法による配電工事を前提としている。しかし、例えば、山間部などでは高所作業車が駐車困難な場合がある。又、緊急工事の場合は、高所作業車の手配が間に合わない場合もある。
【０００９】
このように、高所作業車が利用困難な場合は、作業者は電柱に登って間接活線工法による配電工事を行うことになる。このような電柱での作業は、ホットスティックによる作業を中断して作業位置を変えるときに、ホットスティックを電柱に一時的に預けておく必要がある。又、ホットスティックによる作業を終えて、次の作業に取りかかる場合も、再びの作業に備えて、ホットスティックを電柱に預けておく必要があった。
【００１０】
従来は、作業者がホットスティックを収納具、又は収納袋に入れて昇柱し、この収納具、又は収納袋を電柱に係止して、ホットスティックを取り出し、又は収納していた。しかし、電柱での作業では、収納具、又は収納袋から長尺のホットスティックを出し入れすることは容易ではないという問題がある。簡単な操作で、長尺のホットスティックを着脱自在に保持して吊り下げる吊り具が求められている。そして、以上のことが本発明の課題といってよい。
【００１１】
本発明は、このような問題に鑑みてなされたものであり、簡単な操作であり、ホットスティックを着脱自在に保持して吊り下げることができ、ホットスティックの脱落が困難な吊り具を提供することを目的とする。
【課題を解決するための手段】
【００１２】
本発明者らは、離間するＵ字型アームとＬ字型アームとの間にホットスティックの柄部を挿抜することにより、操作が容易であり、長尺のホットスティックを着脱自在に保持して吊り下げ可能であり、ホットスティックの脱落が困難なことを見出し、これに基づいて、以下のような新たなホットスティック用の吊り具を発明するに至った。
【００１３】
（１）  架空線を配電工事する工具を取り付け可能な工具部、この工具部の工具を遠隔操作する操作部、及び前記工具部と前記操作部とを連結する長尺の管体からなる柄部を備えるホットスティックを着脱自在に保持して吊り下げる吊り具であって、吊り下げ可能な円環状の掛止体を先端部に有する棒状の主軸部材と、この主軸部材の基端部から当該主軸部材の軸方向に対して直交する方向に延びる棒状の横軸部材と、前記横軸部材の先端部が屈曲されて前記主軸部材と対向して略平行に延び、更に当該横軸部材と略直角に開角されて反転するように湾曲して前記主軸部材が先端部から基端部に向かう方向と同じ方向に延びるＵ字状の第１アームと、前記横軸部材と略直角に開角して前記主軸部材の基端部から当該主軸部材の軸方向に対して直交する方向に延び、更に屈曲されて前記主軸部材と対向して略平行に前記第１アームと逆向きに延びるＬ字状の第２アームと、を備え、前記第１アームと前記第２アームとは、前記ホットスティックの柄部を受容可能に所定距離、離間し、前記第１アームは、前記柄部の一方の半円弧面を受け入れ可能に開口し、前記第２アームは、前記柄部の他方の半円弧面を受け入れ可能に開口し、前記第１アームが前記操作部に向かい、前記第２アームが前記工具部に向かうように、前記ホットスティックの重心から離れた前記操作部の近傍の前記柄部を前記第１アーム及び前記第２アームで保持して当該ホットスティックを吊り下げる吊り具。
【００１４】
（１）の発明による吊り具は、ホットスティックを着脱自在に保持して吊り下げる吊り具である。ホットスティックは、工具部と操作部と柄部を備えている。工具部は、架空線を配電工事する工具を取り付け可能となっている。操作部は、工具部の工具を遠隔操作できる。柄部は、工具部と操作部とを連結し、長尺の管体からなっている。
【００１５】
（１）の発明による吊り具は、棒状の主軸部材と棒状の横軸部材を備えている。主軸部材は、吊り下げ可能な円環状の掛止体を先端部に有している。横軸部材は、主軸部材の基端部から主軸部材の軸方向に対して直交する方向に延びている。
【００１６】
又、（１）の発明による吊り具は、Ｕ字状の第１アームとＬ字状の第２アームを備えている。第１アームは、横軸部材の先端部が屈曲されて主軸部材と対向して略平行に延びている。更に、第１アームは、横軸部材と略直角に開角され、反転するように湾曲して主軸部材が先端部から基端部に向かう方向と同じ方向に延びている。第２アームは、横軸部材と略直角に開角し、主軸部材の基端部から主軸部材の軸方向に対して直交する方向に延びている。更に、第２アームは、屈曲されて主軸部材と対向して略平行に第１アームと逆向きに延びている。
【００１７】
更に、（１）の発明による吊り具は、第１アームと第２アームとがホットスティックの柄部を受容可能に所定距離、離間している。第１アームは、柄部の一方の半円弧面を受け入れ可能に開口している。第２アームは、柄部の他方の半円弧面を受け入れ可能に開口している。
【００１８】
そして、（１）の発明による吊り具は、第１アームが操作部に向かい、第２アームが工具部に向かうように、ホットスティックの重心から離れた操作部の近傍の柄部を第１アーム及び第２アームで保持して、ホットスティック（以下、ＨＳということがある）を吊り下げる。
【００１９】
ここで、ＨＳの工具部に取り付けられる工具は、架空線の導通状態の有無を間接的に検出する「検電器」であってよく、高圧カットアウト用の開閉装置を操作する「操作工具」であってよく、架空線を接続する「圧着工具」であってよく、架空線の電流を間接的に測定する「電流計」であってよく、工具を操作部で遠隔操作できる。工具部は、複数種類の工具を着脱自在としてもよく、専用の工具を固定してもよい。後述するように、この吊り具は、操作部側を上方とし、工具部を下方として柄部を保持して、ＨＳを吊り下げる。したがって、ＨＳの吊り下げ姿勢が反転しないように、工具部側の重量と操作部側の重量とのバランスに留意することが好ましい。又、極度に重い工具は、工具部から取り外して、別途、工具袋に収納し、この工具袋を携帯して柱上で配電工事を行うことが好ましい。
【００２０】
ＨＳの柄部は、工具部と操作部を電気絶縁している。一般的に、ＨＳの柄部は、非導電性の合成樹脂パイプで構成、又は被覆されている。そして、柄部の内部は、工具部と操作部とを機械的に連結しているが、電気的には絶縁している。このように構成されたＨＳを使用して、間接活線工法による配電工事を行うことができる。
【００２１】
主軸部材、横軸部材、第１アーム、及び第２アームは、一体で構成されることが好ましく、後述するように、延伸された金属棒を折り曲げ成形してよく、前述の構成要素の端部同士を溶接で固定してもよい。（１）の発明による吊り具は、剛体の金属棒で構成されることが好ましいが、複合素材を使用するなど、合成樹脂棒を必ずしも排除しない。ここで、剛体の吊り具とは、外部から力が働いたときに、その変形が無視できることを意味している。剛体の吊り具は、適正な力学的強度が担保されている。
【００２２】
電柱に設けられた昇柱用ボルトに円環状の掛止体を吊り下げてもよく、後述するように、電柱に設置されるフックに円環状の掛止体を吊り下げてもよい。円環状の掛止体とフックの間に係脱自在なリングを介在することが好ましく、吊り具は、姿勢の変動が容易となる。
【００２３】
第１アームは、柄部の一方の半円弧面を受け入れ可能に開口しているとは、第１アームの基端部と先端部とが、柄部の直径より大きく離間していることであってよく、第１アームの開口を通過して、柄部の一方の半円弧面が第１アームに受け入れられる。
【００２４】
第２アームは、柄部の他方の半円弧面を受け入れ可能に開口しているとは、第２アームの先端部と主軸部材とが、柄部の直径より大きく離間していることであってよく、第２アームの開口を通過して、柄部の他方の半円弧面が第２アームに受け入れられる。
【００２５】
第１アームの開口と第２アームの開口とは、互いに相反する向きに開口しているといってよく、柄部の一方の半円弧面が第１アームに当接でき、柄部の他方の半円弧面が第２アームに当接できる。
【００２６】
そして、第１アームが操作部に向かい、第２アームが工具部に向かうように、ＨＳの重心から離れた操作部の近傍の柄部を第１アーム及び第２アームで保持してよく、（１）の発明による吊り具は、ＨＳの自重で容易に吊り下げることができる。
【００２７】
掛止体を電柱に吊り下げると、第１アームが下方に開口し、第２アームが上方に開口するように、吊り具が配置される。そして、電柱上において、ＨＳは以下の手順で吊り具に吊り下げられる。
【００２８】
最初に、操作部が上方に、工具部が下方になるように、ＨＳを配置する。次に、ＨＳの柄部と吊り具の横軸部材が交差するように、ＨＳと吊り具を相対的に対向配置する。この場合、第１アームが上方に開口し、第２アームが下方に開口するように、吊り具を吊り下げた状態から反転するように移動すると、操作が容易である。次に、ＨＳの重心から離れた操作部の近傍の柄部と、吊り具の横軸部材とが、相互に近づくように柄部の前記部位を第１アームと第２アームとの間に挿入する。
【００２９】
次に、柄部が吊り具の横軸に当接した後は、柄部に対して相対的に吊り具を直角程度に回動する。この時点では、第１アームが操作部に向かい、第２アームが工具部に向かうように、ＨＳと吊り具とは相対配置されている。次に、柄部が第１アーム及び第２アームに受け入れられ、ＨＳ及び吊り具を開放すると、吊り具と一体になってＨＳの姿勢が変化する。これらの一連の動作は、ＨＳを把持し、吊り具を回動及び移動させることが好ましい。速やかに、吊り具をＨＳに取り付けることができる。
【００３０】
次に、柄部が第１アーム及び第２アームに受け入れられ、ＨＳを開放すると、吊り具と一体になってＨＳの姿勢が変化する。すなわち、ＨＳは、操作部が上方に、工具部が下方になるように、吊り下げ配置される。ここで、ＨＳは、垂下方向に対して僅かな角度で傾斜配置される。又、吊り具は、第１アームが上方に、第２アームが下方になるように、吊り下げ配置される。同様に、吊り具の横軸は、垂下方向に対して僅かな角度で傾斜配置される。
【００３１】
ＨＳが吊り具に吊り下げられた状態では、ＨＳには吊り具から脱落する力（重力）が作用するが、第１アームが操作部に阻止されて、ＨＳの脱落が防止される。柄部と操作部の境界には、柄部の直径より大きいフランジが設けられているからである。
【００３２】
又、ＨＳが吊り具に吊り下げられた状態において、ＨＳは、第１アームを支点とし、ＨＳの重心を力点として、柄部に第２アームが向かう力が作用していると考えることができる。又、ＨＳは、第２アームを支点とし、ＨＳの重心を力点として、柄部に第１アームが向かう力が作用していると考えることもできる。第１アームは、ＨＳの垂直分力を担保し、第２アームは、ＨＳの水平分力を担保していると、考えることもできる。いずれにしても、人為的に解除しない限り、ＨＳは、第１アーム及び第２アームから離脱することは困難である。
【００３３】
吊り具からＨＳを取り外す場合は、前記と逆の手順を実行すればよく、吊り具を取り外す場合は、ＨＳを把持し、吊り具を回動及び移動させることが好ましい。速やかに、吊り具をＨＳから取り外すことができる。
【００３４】
このように、（１）の発明による吊り具は、互いに相反する向きに開口するＵ字状の第１アームとＬ字状の第２アームを備え、ホットスティックの柄部を容易に着脱可能であり、ホットスティックが吊り具に吊り下げられた状態において、ホットスティックが容易に脱落しない吊り具を提供できる。
【００３５】
（２）  前記掛止体を除く前記主軸部材、前記横軸部材、前記第１アーム、及び前記第２アームは、衝撃保護材で被覆されている（１）記載の吊り具。
【００３６】
衝撃保護材は、比較的軟質のプラスチックチューブであってよく、掛止体を除く主軸部材、横軸部材、第１アーム、及び第２アームを被覆できる。プラスチックチューブは、分割されて、各構成要素の先端部から挿入される。プラスチックチューブは、熱収縮チューブであってもよい。
【００３７】
衝撃保護材は、貼着可能な比較的軟質のプラスチックテープであってもよく、掛止体を除く主軸部材、横軸部材、第１アーム、及び第２アームをプラスチックテープで巻回して、被覆できる。
【００３８】
（２）の発明による吊り具は、掛止体を除く主軸部材、横軸部材、第１アーム、及び第２アームが衝撃保護材で被覆されているので、ホットスティックの柄部の損傷を防止できる。
【００３９】
（３）  前記第１アーム及び前記第２アームは、前記柄部が滑り困難にゴム体で被覆されている（１）記載の吊り具。
【００４０】
（３）の発明による吊り具は、ホットスティックの柄部が不用意に滑動することを防止できる。
【００４１】
（４）  前記第１アームは、第１キャップを先端部に備え、前記第２アームは、第２キャップを先端部に備え、前記第１キャップと前記第２キャップとは、互いに識別可能に彩色している（１）から（３）のいずれかに記載の吊り具。
【００４２】
（４）の発明による吊り具は、第１アームと第２アームのいずれかが先頭になることを識別できる。又、第１アーム及び第２アームの先端部にキャップを被せることにより、安全である。第１キャップと第２キャップは、ゴム体であってもよく、プラスチックキャップであってもよい。
【００４３】
（５）  一方の面と他方の面の一端側が相互に着脱自在な帯状の面ファスナを更に備え、この面ファスナの他端側は、当該一方の面が外側になるように前記横軸部材を巻回して繋止し、前記面ファスナの中間部は、当該一方の面が外側になるように前記柄部を巻回し、前記面ファスナの一端側は、当該面ファスナの他端側に係止される（１）から（４）のいずれかに記載の吊り具。
【００４４】
（５）の発明による吊り具は、面ファスナを使用して、ホットスティックを横軸部材に確実に係止できる。又、面ファスナを使用して、ホットスティックに吊り具を係止でき、持ち運びに便利である。
【００４５】
（６）  延伸された金属棒が折り曲げ成形される（１）から（５）のいずれかに記載の吊り具。
【００４６】
（６）の発明による吊り具は、製造が容易である。
【００４７】
（７）  前記掛止体は、電柱に設置されるフックに吊り下げられる（１）から（６）のいずれかに記載の吊り具。
【００４８】
（６）の発明による吊り具は、電柱での配電工事において、多用されるフックに吊り下げられることが好ましい。
【発明の効果】
【００４９】
本発明による吊り具は、互いに相反する向きに開口するＵ字状の第１アームとＬ字状の第２アームを備え、ホットスティックの柄部を容易に着脱可能であり、ホットスティックが吊り具に吊り下げられた状態において、ホットスティックが容易に脱落しない吊り具を提供できる。
【発明を実施するための最良の形態】
【００５０】
以下、図面を参照して本発明を実施するための最良の形態を説明する。
【００５１】
図１は、本発明による吊り具の一実施形態を示す斜視外観図である。図２は、前記実施形態による吊り具の斜視外観図であり、吊り具に帯状の面ファスナを取り付けた状態図である。図３は、前記実施形態による吊り具の斜視外観図であり、吊り具が電柱に吊り下げられた状態図である。図４は、前記実施形態による吊り具の斜視外観図であり、吊り具がホットスティックを受け入れ可能に反転している状態図である。図５は、前記実施形態による吊り具の斜視外観図であり、吊り具がホットスティックを吊り下げている状態図である。図６は、本発明に係る吊り具に吊り下げられるホットスティックの正面図である。
【００５２】
最初に、本発明に係るホットスティックの構成を説明する。図６において、ホットスティック９は、工具部９１と操作部９２と柄部９３を備えている。工具部９１は、架空線を配電工事する工具９ａを取り付け可能となっている。操作部９２は、工具部９１の工具９ａを遠隔操作できる。柄部９３は、工具部９１と操作部９２とを連結し、長尺の管体からなっている。
【００５３】
図６において、工具部９１には、工具９ａとしてチャックが取り付けられている。操作部９２で遠隔操作することにより、チャックで架空線を把持できる。柄部９３は、工具部９１と操作部９２を電気絶縁している。工具部９１と操作部９２とは、機械的に連結しているが、電気的には絶縁している。このように構成されたホットスティック９を使用して、間接活線工法による配電工事を行うことができる。
【００５４】
次に、本発明による吊り具の構成を説明する。図１において、吊り具１は、棒状の主軸部材１１と棒状の横軸部材１２を備えている。主軸部材１１は、吊り下げ可能な円環状の掛止体１ａを先端部に有している。横軸部材１２は、主軸部材１１の基端部から主軸部材１１の軸方向に対して直交する方向に延びている。
【００５５】
又、図１に示されるように、吊り具１は、Ｕ字状の第１アーム１３とＬ字状の第２アーム１４を備えている。第１アーム１３は、横軸部材１２の先端部が屈曲されて、主軸部材１１対向して略平行に延びている。更に、第１アーム１３は、横軸部材１２と略直角に開角され、反転するように湾曲して主軸部材１１が先端部から基端部に向かう方向と同じ方向に延びている。第２アーム１４は、横軸部材１２と略直角に開角し、主軸部材１１の基端部から主軸部材１１の軸方向に対して直交する方向に延びている。更に、第２アーム１４は、屈曲されて主軸部材１１と対向して略平行に第１アーム１３と逆向きに延びている。
【００５６】
更に、図１に示されるように、吊り具１は、第１アーム１３と第２アーム１４とが、ホットスティック９の柄部９３を受容可能に所定距離、離間している。第１アーム１３は、柄部９３の一方の半円弧面を受け入れ可能に開口している。第２アーム１４は、柄部９３の他方の半円弧面を受け入れ可能に開口している。
【００５７】
図１の実施形態において、吊り具１は、延伸された金属棒が折り曲げ成形されている。この金属棒の始端から所定の長さで略直角に屈曲成形された縦片１４ａと横片１４ｂとで、第２アーム１４が形成されている。更に、横片１４ｂの先端部は、略直角に屈折されて第１主軸部材１１ａを形成している。そして、第１主軸部材１１ａの先端部が円弧に形成されて、掛止体１ａを形成している。掛止体１ａの先端部は、第１主軸部材１１ａと略平行に延びる第２主軸部材１１ｂを形成している。
【００５８】
図１において、第１主軸部材１１ａと第２主軸部材１１ｂとは、主軸部材１１を構成している。第１主軸部材１１ａと第２主軸部材１１ｂとは、リング１ｂで束ねられており、相互に離反しないようになっている。第２主軸部材１１ｂの先端部は、略直角に屈折されて、横軸部材１２を形成している。
【００５９】
図１において、横軸部材１２の先端部は、略直角に屈曲成形されて、第２主軸部材１１ｂと略平行に延びる第１縦片１３ａを形成している。第１縦片１３ａの先端部は円弧に形成されて、円弧アーム１３ｂを形成している。そして、円弧アーム１３ｂの先端部は、第１縦片１３ａと略平行に延びる第２縦片１３ｃを形成している。第１縦片１３ａ、円弧アーム１３ｂ、及び第２縦片１３ｃは、第１アーム１３を構成している。又、第２縦片１３ｃの先端部は、折り曲げ成形された金属棒の終端となっている。
【００６０】
図１において、掛止体１ａを除く主軸部材１１、横軸部材１２、第１アーム１３、及び第２アーム１４は、プラスチックチューブなどの衝撃保護材２で被覆されている。掛止体１ａを除く吊り具１は、衝撃保護材２で被覆されているので、ホットスティック９の柄部９３の損傷を防止できる。
【００６１】
図１において、第１アーム１３及び第２アーム１４は、柄部９３が滑り困難にゴム体（図示せず）で被覆されてもよく、ホットスティック９の柄部９３が不用意に滑動することを防止できる。
【００６２】
更に、図１において、第１アーム１３は、第１キャップ１３ｋを先端部に備えている。一方、第２アーム１４は、第２キャップ１４ｋを先端部に備えている。そして、第１キャップ１３ｋと第２キャップ１４ｋとは、互いに識別可能に彩色している。吊り具１は、第１アーム１３と第２アーム１４のいずれかが先頭になることを識別できる。又、第１アーム１３及び第２アーム１４の先端部にキャップを被せることにより、安全である。
【００６３】
図１において、吊り具１は、帯状の面ファスナ３を更に備えることもできる。面ファスナ３は、一方の面（オモテ面）３１と、他方の面（ウラ面）３２の一端側３ａが相互に着脱自在となっている。そして、図２に示されるように、面ファスナ３の他端側３ｃは、一方の面３１が外側になるように、横軸部材１２を巻回して繋止している。面ファスナ３の他端側３ｃは、工具針で相互に固定されている。面ファスナ３の中間部３ｂは、一方の面３１が外側になるように柄部９３を巻回してよく、面ファスナ３の一端側３ａは、面ファスナ３の他端側３ｃに係止することができる。
【００６４】
図１又は図２において、吊り具１は、面ファスナ３を使用して、ホットスティック９を横軸部材１２に確実に係止できる。又、面ファスナ３を使用して、ホットスティック９に吊り具１を係止でき、持ち運びに便利である。
【００６５】
次に、本発明による吊り具の操作手順を説明する。図３において、電柱４に設けられた昇柱用ボルト４ａにフック５が吊り下げられている。そして、フック５は、係脱自在なリング６を介在して、掛止体１ａを吊り下げている。図３において、第１アーム１３が下方に開口し、第２アーム１４が上方に開口するように、吊り具１が配置されている。
【００６６】
図３において、最初に、操作部９２が上方に、工具部９１が下方になるように、ホットスティック９を配置する（図６参照）。次に、ホットスティック９の柄部９３と吊り具１の横軸部材１２が交差するように、ホットスティック９と吊り具１を相対的に対向配置する（図１参照）。この場合、図４に示されるように、第１アーム１３が上方に開口し、第２アーム１４が下方に開口するように、吊り具１を吊り下げた状態から反転するように移動すると、操作が容易である。次に、ホットスティック９の重心から離れた操作部９２の近傍の柄部９３と、吊り具１の横軸部材１２とが、相互に近づくように柄部９３の前記部位を第１アーム１３と第２アーム１４との間に挿入する。
【００６７】
図４において、次に、柄部９３が吊り具１の横軸部材１２に当接した後は、柄部９３に対して相対的に吊り具１を直角程度に回動する（図１参照）。この時点では、第１アーム１３が操作部９２に向かい、第２アーム１４が工具部９１に向かうように、ホットスティック９と吊り具１とは相対配置されている。
【００６８】
図４において、次に、柄部９３が第１アーム１３及び第２アームに受け入れられ、ホットスティック９及び吊り具１を開放すると、吊り具１と一体になってホットスティック９の姿勢が変化する（図５参照）。これらの一連の動作は、ホットスティック９を把持し、吊り具１を回動及び移動させることが好ましい。速やかに、吊り具１をホットスティック９に取り付けることができる。
【００６９】
図４において、次に、柄部９３が第１アーム１３及び第２アーム１４に受け入れられ、ホットスティック９を開放すると、吊り具１を回動中心としてホットスティック９が旋回し、吊り具１と一体になってホットスティック９の姿勢が変化する（図５参照）。図５において、ホットスティック９は、操作部９２が上方に、工具部９１が下方になるように、吊り下げ配置されている（図６参照）。
【００７０】
図５において、ホットスティック９は、垂下方向に対して僅かな角度で傾斜配置される。又、吊り具１は、第１アーム１３が上方に、第２アーム１４が下方になるように、吊り下げ配置されている。同様に、吊り具１の横軸部材１２は、垂下方向に対して僅かな角度で傾斜配置されている。
【００７１】
図５において、ホットスティック９が吊り具１に吊り下げられた状態では、ホットスティック９には吊り具１から脱落する力（重力）が作用している。しかし、第１アーム１３が操作部９２に阻止されて、ホットスティック９の脱落が防止される。柄部９３と操作部９２の境界には、柄部９３の直径より大きいフランジ９２ｆが設けられているからである。
【００７２】
図５において、吊り具１からホットスティック９を取り外す場合は、前記と逆の手順を実行すればよく、吊り具１を取り外す場合は、ホットスティック９を把持し、吊り具１を回動及び移動させることが好ましい。速やかに、吊り具１をホットスティック９から取り外すことができる。より具体的には、図５の状態から、ホットスティック９を僅かに持ち上げ、吊り具１を操作部９２から離間させた後に、ホットスティック９を反時計方向に回転させることにより、吊り具１をホットスティック９から取り外すことができる。
【００７３】
次に、本発明による吊り具の作用を説明する。図５において、ホットスティック９が吊り具１に吊り下げられた状態において、ホットスティック９は、第１アーム１３を支点とし、ホットスティック９の重心を力点として、柄部９３に第２アーム１４が向かう力が作用していると考えることができる。
【００７４】
図５において、又、ホットスティック９は、第２アーム１４を支点とし、ホットスティック９の重心を力点として、柄部９３に第１アーム１３が向かう力が作用していると考えることもできる。第１アーム１３は、ホットスティック９の垂直分力を担保し、第２アーム１４は、ホットスティック９の水平分力を担保していると、考えることもできる。いずれにしても、人為的に解除しない限り、ホットスティック９は、第１アーム１３及び第２アーム１４から離脱することは困難である。
【００７５】
本発明による吊り具は、互いに相反する向きに開口するＵ字状の第１アームとＬ字状の第２アームを備え、ホットスティックの柄部を容易に着脱可能であり、ホットスティックが吊り具に吊り下げられた状態において、ホットスティックが容易に脱落しない吊り具を提供できる。
【図面の簡単な説明】
【００７６】
【図１】本発明による吊り具の一実施形態を示す斜視外観図である。
【図２】前記実施形態による吊り具の斜視外観図であり、吊り具に帯状の面ファスナを取り付けた状態図である。
【図３】前記実施形態による吊り具の斜視外観図であり、吊り具が電柱に吊り下げられた状態図である。
【図４】前記実施形態による吊り具の斜視外観図であり、吊り具がホットスティックを受け入れ可能に反転している状態図である。
【図５】前記実施形態による吊り具の斜視外観図であり、吊り具がホットスティックを吊り下げている状態図である。
【図６】本発明に係る吊り具に吊り下げられるホットスティックの正面図である。
【符号の説明】
【００７７】
１  吊り具
１ａ  掛止体
９  ホットスティック
９ａ  工具
１１  主軸部材
１２  横軸部材
１３  第１アーム
１４  第２アーム
９１  工具部
９２  操作部
９３  柄部
【図１】
2008182846.tif 000003
【図２】
2008182846.tif 000004
【図３】
2008182846.tif 000005
【図４】
2008182846.tif 000006
【図５】
2008182846.tif 000007
【図６】
2008182846.tif 000008